【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
自動モードロックレーザにおいて：
第１及び第２反射鏡によって終端されて第３反射鏡によって折返される共振器であって、前記第３反射鏡が、少なくとも１つの量子井戸層と光カーレンズ層を含む多層半導体の利得媒体を搭載したリフレクタを具える共振器と、
前記共振器の１又はそれ以上のキャビティモードの強度に摂動を誘導する手段を提供する摂動装置と、
を具え、
前記第２反射鏡が、強度可飽和反射鏡を具えることを特徴とする自動モードロックレーザ。
【請求項２】
請求項１に記載の自動モードロックレーザにおいて、前記摂動装置が、前記利得媒体において１又はそれ以上のキャビティモードに非点収差を導入する手段を提供する非点収差制御装置を具えることを特徴とする自動モードロックレーザ。
【請求項３】
請求項２に記載の自動モードロックレーザにおいて、前記共振器が、前記カーレンズ層が１又はそれ以上のキャビティモードに導入した非点収差を補正するように構成されていることを特徴とする自動モードロックレーザ。
【請求項４】
請求項１乃至３のいずれか一項に記載の自動モードロックレーザにおいて、前記摂動装置が、前記キャビティモードのラウンドトリップ時間が前記利得媒体に配置された１又はそれ以上の半導体キャリアの上位状態（ｕｐｐｅｒ−ｓｔａｔｅ）寿命に一致するように選択された長さの共振器を具えることを特徴とする自動モードロックレーザ。
【請求項５】
請求項１乃至４のいずれか一項に記載の自動モードロックレーザにおいて、前記光カーレンズ層が、前記半導体の利得媒体上に設けた熱拡散器を具えることを特徴とする自動モードロックレーザ。
【請求項６】
請求項１乃至５のいずれか一項に記載の自動モードロックレーザにおいて、前記光カーレンズ層が、ダイヤモンド結晶層を具えることを特徴とする自動モードロックレーザ。
【請求項７】
請求項１乃至６のいずれか一項に記載の自動モードロックレーザにおいて、前記共振器が、第４反射鏡によって折返され、当該第４反射鏡が、前記第２及び第３反射鏡間に配置されていることを特徴とする自動モードロックレーザ。
【請求項８】
請求項７に記載の自動モードロックレーザにおいて、前記第４反射鏡が、凹面の曲率半径を有することを特徴とする自動モードロックレーザ。
【請求項９】
請求項７又は８に記載の自動モードロックレーザにおいて、前記共振器が、第５反射鏡によって折返され、当該第５反射鏡が、前記第２及び第４反射鏡間に配置されていることを特徴とする自動モードロックレーザ。
【請求項１０】
請求項９に記載の自動モードロックレーザにおいて、前記第５反射鏡が、平面状であることを特徴とする自動モードロックレーザ。
【請求項１１】
請求項９又は１０に記載の自動モードロックレーザにおいて、前記共振器が、第６反射鏡によって折返され、当該第６反射鏡が、前記第２及び第５反射鏡間に配置されていることを特徴とする自動モードロックレーザ。
【請求項１２】
請求項１１に記載の自動モードロックレーザにおいて、前記第６反射鏡が、凹面の曲率半径を有することを特徴とする自動モードロックレーザ。
【請求項１３】
請求項１乃至１２のいずれか一項に記載の自動モードロックレーザにおいて、前記レーザが、連続波（ｃｗ）光フィールド源を具え、当該連続波（ｃｗ）光フィールド源からの出力が前記利得媒体を励起するように構成されていることを特徴とする自動モードロックレーザ。
【請求項１４】
請求項２乃至１３のいずれか一項に記載の自動モードロックレーザにおいて、前記非点収差制御装置が、反射鏡回転手段を具えることを特徴とする自動モードロックレーザ。
【請求項１５】
請求項１４に記載の自動モードロックレーザにおいて、前記反射鏡回転手段を用いて前記第４反射鏡を回転させて、前記第４反射鏡へのキャビティモードの入射角を変化させることを特徴とする自動モードロックレーザ。
【請求項１６】
請求項１乃至１５のいずれか一項に記載の自動モードロックレーザにおいて、前記利得媒体が、第１共振周期利得エタロン（ＲＰＧ）特性内の予め決められた波長λ０で１又はそれ以上のキャビティモードを生成するように構成されていることを特徴とする自動モードロックレーザ。
【請求項１７】
請求項１乃至１６のいずれか一項に記載の自動モードロックレーザにおいて、前記第１反射鏡が、前記予め決められた波長λ０で光を部分的に反射し、部分的に透過することを特徴とする自動モードロックレーザ。
【請求項１８】
請求項１６又は１７に記載の自動モードロックレーザにおいて、前記第２反射鏡の反射率プロファイルが、前記予め決められた波長λ０より短波長にオフセットされ、前記予め決められた波長λ０より長波長で第２共振周期利得エタロン（ＲＰＧ）特性内の利得を抑えるように構成されていることを特徴とする自動モードロックレーザ。
【請求項１９】
請求項１８に記載の自動モードロックレーザにおいて、前記第２反射鏡の反射率プロファイルが、前記共振周期利得エタロン（ＲＰＧ）特性の１／２乃至１フリースペクトルレンジの範囲内の波長にオフセットされることを特徴とする自動モードロックレーザ。
【請求項２０】
請求項１乃至１９のいずれか一項に記載の自動モードロックレーザにおいて、前記リフレクタが、第１分布ブラッグリフレクタ（ＤＢＲ）を具えることを特徴とする自動モードロックレーザ。
【請求項２１】
請求項１乃至２０のいずれか一項に記載の自動モードロックレーザにおいて、前記強度可飽和反射鏡が、第２分布ブラッグリフレクタ（ＤＢＲ）と当該第２分布ブラッグリフレクタ（ＤＢＲ）内に配置された１又はそれ以上の量子井戸層を有する可飽和ブラッグリフレクタ（ＳＢＲ）を具えることを特徴とする自動モードロックレーザ。
【請求項２２】
請求項１乃至２１のいずれか一項に記載の自動モードロックレーザにおいて、前記レーザが、超短パルスを有する出力フィールドを提供することを特徴とする自動モードロックレーザ。
【請求項２３】
請求項２２に記載の自動モードロックレーザにおいて、前記超短パルスが、１００フェムト秒以下のパルス幅を有することを特徴とする自動モードロックレーザ。
【請求項２４】
レーザを自動モードロックする方法において：
−  第１反射鏡と、強度可飽和反射鏡を具える第２反射鏡とで終端される共振器を提供するステップと；
−  前記共振器を第３反射鏡で折返すステップであって、前記第３反射鏡が、少なくとも１つの量子井戸層と光カーレンズ層を含む多層半導体の利得媒体を持つリフレクタを具えるステップと；
−  前記共振器の１又はそれ以上のキャビティモードの強度に摂動を誘導するステップと；
−  強度可飽和反射鏡を使用して、前記共振器の１又はそれ以上のキャビティモードのパルス幅を減少させるステップと；
を具えることを特徴とする方法。
【請求項２５】
請求項２４に記載のレーザを自動モードロックする方法において、前記共振器のキャビティ内フィールドの強度に摂動を誘導するステップが、利得媒体において１又はそれ以上のキャビティモードに非点収差を導入するステップを具えることを特徴とする方法。
【請求項２６】
請求項２５に記載のレーザを自動モードロックする方法において、前記方法が、前記カーレンズ層によって前記キャビティモードに導入される非点収差を補正するように前記共振器を構成するステップを更に具えることを特徴とする方法。
【請求項２７】
請求項２４乃至２６のいずれか一項に記載のレーザを自動モードロックする方法において、前記共振器の１又はそれ以上のキャビティモードの強度に摂動を誘導するステップが、前記１又はそれ以上のキャビティモードのラウンドトリップ時間が前記利得媒体内に配置された１又はそれ以上の半導体キャリアの上位状態（ｕｐｐｅｒ−ｓｔａｔｅ）寿命に一致するように前記共振器の長さを選択するステップを具えることを特徴とする方法。
【請求項２８】
請求項２４乃至２７のいずれか一項に記載のレーザを自動モードロックする方法において、前記方法が、前記第２及び第３反射鏡間に第４反射鏡を配置してキャビティを折返すステップを更に具えることを特徴とする方法。
【請求項２９】
請求項２８に記載のレーザを自動モードロックする方法において、前記第４反射鏡を回転させて前記第４反射鏡への共振フィールドの入射角を増やして、非点収差をキャビティモードに導入するステップを具えることを特徴とする方法。
【請求項３０】
請求項２８又は２９に記載のレーザを自動モードロックする方法において、前記方法が、前記第２及び第４反射鏡間に第５反射鏡を配置してキャビティを折返すステップを更に具えることを特徴とする方法。
【請求項３１】
請求項３０に記載のレーザを自動モードロックする方法において、前記方法が、前記第２及び第５反射鏡間に第６反射鏡を配置してキャビティを折返すステップを更に具えることを特徴とする方法。
【請求項３２】
請求項２４乃至３１のいずれか一項に記載のレーザを自動モードロックする方法において、前記方法が、前記利得媒体を励起するように構成された連続波（ｃｗ）光フィールドを提供するステップを更に具えることを特徴とする方法。
【請求項３３】
請求項２４乃至３２のいずれか一項に記載のレーザを自動モードロックする方法において、前記方法が、第１共振周期利得エタロン（ＲＰＧ）特性内に予め決められた波長λ０で１又はそれ以上のキャビティモードを発生する利得媒体を構成するステップを更に具えることを特徴とする方法。
【請求項３４】
請求項３３に記載のレーザを自動モードロックする方法において、前記方法が、前記予め決められた波長λ０よりも低波長に第２反射鏡の反射率プロファイルをオフセットするステップを更に具えることを特徴とする方法。
【請求項３５】
請求項３４に記載のレーザを自動モードロックする方法において、前記方法が、前記予め決められた波長λ０よりも長波長で、第２共振周期利得エタロン（ＲＰＧ）特性内で利得を抑える第２反射鏡の反射率プロファイルを構成するステップを更に具えることを特徴とする方法。
【請求項３６】
請求項３４又は３５に記載のレーザを自動モードロックする方法において、前記第２反射鏡の反射率プロファイルが、前記共振周期利得エタロン（ＲＰＧ）特性の１／２乃至１フリースペクトルレンジの範囲内の波長にオフセットするステップを具えることを特徴とする方法。